(57)【要約】【課題】ハンドレールの母材寿命が低下することなく、光触媒機能の付加とその機能維持手段による防汚性のある乗客コンベアのハンドレールを提供する。【解決手段】ゴム材や有機高分子材でなる断面略Ｃ字形のハンドレール６を備えたものにおいて、ハンドレールの表面部を粒子径１μｍ以下の研磨剤を含有した非イオン系の界面活性剤で研磨し親水性表面Ｍを形成する工程と、この親水性表面Ｍにアモルファス型過酸化チタン層Ｎを形成する工程と、このアモルファス型過酸化チタン層の上にアナターゼ型酸化チタン層Ｏを積層する工程を経て光触媒機能を有する被覆層Ｐを形成した。【選択図】　　　図２
2004026448.tif 000002
【特許請求の範囲】
【請求項１】
無端状に連結されて往復移動する踏段と、この踏段の両側部にあって、この踏段と同期して往復移動するゴム材や有機高分子材でなる断面略Ｃ字形のハンドレールを備えた乗客コンベアにおいて、
前記ハンドレールの表面部を粒子径１μｍ以下の研磨剤を含有した非イオン系の界面活性剤で研磨し親水性表面を形成する工程と、この親水性表面にアモルファス型過酸化チタン層を形成する工程と、このアモルファス型過酸化チタン層の上にアナターゼ型酸化チタン層を積層する工程を経て光触媒機能を有する被覆層を形成したことを特徴とする乗客コンベアのハンドレール。
【請求項２】
前記光触媒機能を有する被覆層を形成したハンドレール表面を５０℃〜２００℃の温度で熱処理することを特徴とする請求項１記載の乗客コンベアのハンドレール。
【請求項３】
前記乗客コンベア内部に、前記踏段の移動方向に沿って、前記ハンドレール表面の光触媒機能層に紫外光線を与える光線照射装置を配設するとともに、この光線照射装置によって前記光触媒機能を有する被覆層の光触媒機能が維持される構成としたことを特徴とする請求項１または請求項２記載の乗客コンベアのハンドレール。
【請求項４】
前記ハンドレールの復路において、このハンドレールの断面略Ｃ字形の内周部に案内体を配設し、この案内体により前記ハンドレールを吊下げた状態で支持するとともに、前記ハンドレールの復路表面に前記光線照射装置を近接配置して前記ハンドレールの光触媒機能が維持される構成としたことを特徴とする請求項３記載の乗客コンベアのハンドレール。
【発明の詳細な説明】
【０００１】
【発明の属する技術分野】
本発明は、乗客コンベア用のハンドレールに関する。
【０００２】
【従来の技術】
エスカレーターや動く歩道など人員輸送設備の総称である乗客コンベアは、無端状に連結されて往復移動する踏段と、この踏段の両側部にあって、この踏段と同期して往復移動するハンドレールを備えていることが知られている（例えば、特公平３−４８１１７号公報）。そして、ゴム材や有機高分子材のこのハンドレールの表面は、乗客の手垢、塵埃などで汚れやすく、清潔感の阻外、清掃の面倒臭さが問題とされてきた。このため、例えば特開平１０−２９６８８８号公報に開示された光触媒機能の生成方法を乗客コンベアのハンドレールに応用する試みもなされてきている。
【０００３】
【発明が解決しようとする課題】
しかしながら、乗客コンベアのハンドレールは、上記前者のもののように、駆動及び従動ローラによって上下方向から強圧力で挟圧する構造のハンドレール駆動装置により往復移動させられるものであるために、上記後者のように、その母材表面に微細な凹凸部を設ける方法を応用した場合には、その凸部が短時間で磨滅してしまい、光触媒機能を有する被覆層の瞬時的破壊を招くという致命的課題があった。
【０００４】
本発明の目的は、ハンドレール母材の寿命が低下することなく、光触媒機能の付加とその機能維持手段による防汚性のある乗客コンベアのハンドレールを提供することにある。
【０００５】
【課題を解決するための手段】
上記目的を達成するために、本発明の請求項１に係る発明は、無端状に連結されて往復移動する踏段と、この踏段の両側部にあって、この踏段と同期して往復移動するゴム材や有機高分子材でなる断面略Ｃ字形のハンドレールを備えた乗客コンベアにおいて、前記ハンドレールの表面部を粒子径１μｍ以下の研磨剤を含有した非イオン系の界面活性剤で研磨し親水性表面を形成する工程と、この親水性表面にアモルファス型過酸化チタン層を形成する工程と、このアモルファス型過酸化チタン層の上にアナターゼ型酸化チタン層を積層する工程を経て光触媒機能を有する被覆層を形成した。
【０００６】
また、請求項２の発明においては、前記光触媒機能を有する被覆層を形成したハンドレール表面を５０℃〜２００℃の温度で熱処理するようにした。
【０００７】
更に、請求項３の発明においては、前記乗客コンベア内部に、前記踏段の移動方向に沿って、前記ハンドレール表面の光触媒機能を有する被覆層に紫外光線を与える光線照射装置を配設するとともに、この光線照射装置によって前記光触媒機能を有する被覆層の光触媒機能が維持される機成としてある。
【０００８】
更に、請求項４の発明においては、前記ハンドレールの復路において、このハンドレールの断面略Ｃ字形の内周部に案内体を配設し、この案内体により前記ハンドレールを吊下げた状態で支持するとともに、前記ハンドレールの復路表面に前記光線照射装置を近接配置して前記ハンドレールの光触媒機能が維持される構成とした。
【０００９】
請求項１による発明によれば、ハンドレール母材の寿命が低下することなく、光触媒機能の付加とその機能維持手段による防汚性のある乗客コンベアのハンドレールを提供することができる。
【００１０】
また、請求項２の発明によれば、ハンドレール表面を５０℃〜２００℃の温度で熱処理することによりアモルファス型過酸化チタン層とアナターゼ型酸化チタン層をより強固にハンドレール表面に固着させることができる。
【００１１】
また、請求項３の発明によれば、踏段の移動方向に沿って、前記光触媒機能を有する被覆層の防汚性能を促進する紫外線照射により高度な光触媒機能が維持されることになる。
【００１２】
さらに、請求項４の発明によれば、ハンドレールの復路において、その断面略Ｃ字形の内周部に案内体を配設し、この案内体によりハンドレールを吊り下げて支持する方法であるので、ハンドレールの表面に接触する案内体（例えば従来用いられていた案内ローラ）がなく、これとの接触によるハンドレールの汚れ防止に寄与できる。また、ハンドレールの復路表面側に案内体が存在しない分、前記光線照射装置の配置スペース確保に好都合となる。
【００１３】
【発明の実施の形態】
以下、本発明の乗客コンベアのハンドレールの実施形態を図に基づいて説明する。
【００１４】
図１は、本発明の対象となるエスカレーターの全体側面と要部の内部構造を概念的に示した全体側面図、図２は図１のイ−イ線に沿う断面図、図３は図１のロ−ロ線に沿う断面図である。
【００１５】
図において、エスカレーター１は、一方の乗降口２から他方の乗降口３にかけて無端状に連結されて往復移動する踏段４と、この踏段４の両側部に立設された欄干５の周縁に沿う往路と、この欄干５の基部内を復路として踏段４と同期して往復移動するハンドレール６を備えている。そして、前記ハンドレール６は、その断面は外周、内周ともに略Ｃ字形をなすゴム材や有機高分子材からなる表面部６Ａと帆布材からなる内周部６Ｂを有しており、その往路においては従来と同様に欄干５周縁の長尺の案内体７（図２の想像線）、その復路においては本発明では短尺の案内体８（図３）で欄干５の基部に取付具９により吊り下げ状態に支持されている。なお、ハンドレール６の支持に短尺の案内体８と取付具９を用いない従来の構造においては、回転体である案内ローラ１０（図３の想像線）でハンドレール６の表面を受けて支持案内する方法が一般的である。
【００１６】
ここで、本発明のハンドレール６の表面部６Ａには、図２に概念的に想像線で示したように、表面部６Ａを粒子径１μｍ以下の研磨剤を含有した非イオン系界面活性剤で研磨し、表面にミクロ単位の微細な凹凸をつけ、また油分を完全に除去することにより、親水性表面Ｍにする工程と、ここにアモルファス型過酸化チタンコロイド水溶液をスプレー、ハケ塗り、ローラー塗り等の方法で塗布し、乾燥することによりアモルファス型過酸化チタン層Ｎを表面全体に均一に形成し、さらに、この層の上にアナターゼ型酸化チタンコロイド溶液を同様に塗布し、乾燥することによりアナターゼ型酸化チタンコロイド層Ｏを形成する工程を経て、光触媒機能を有する被覆層Ｐを形成する。
【００１７】
なお、上記界面活性面Ｍは、例えば（株）ウイルソン社製液体クリーナーなどを使うことにより得ることができる。また、ここで言う光触媒機能とは、アナターゼ型酸化チタンをはじめとした光触媒半導体金属を基材表面に造膜し、その造膜表面に励起波長（ＴｉＯ２の場合３６０〜３８０ｎｍ以下の電磁波）が当たることで活性ラジカル種が発生し、有機化合物や無機ガスを酸化還元分解して防汚機能を発揮することを言う。上記の光触媒機能を有する被覆層Ｐは、例えばペルオキソ基を有するアモルファス型過酸化チタンゾル液を、ハンドレール６の表面にスプレーやディッピングで付着、乾燥させ、さらにこの上にアナターゼ型酸化チタンコロイド溶液等光触媒半導体を混入している液を同様の方法で付着、乾燥させたのち、５０℃〜２００℃程度で熱処理することによっても形成することができる。なお、また、実験によれば、界面活性面Ｍとしたのちに、水洗いのうえエタノール拭きとし、アモルファス型過酸化チタン層Ｎ、アナターゼ型酸化チタンコロイド層Ｏを、共に数回塗布することで被覆層Ｐのより安定化が図られることを確認している。
【００１８】
一方、本発明においては、エスカレーター１の内部の踏段４の移動方向に沿って長く、復路のハンドレール６の表面に紫外光線（例えば３６０〜３８０ｎｍ程度の電磁波）を与える光線照射装置１１を配設し、これが発する励起作用により光触媒機能を有する被覆層Ｐの高度な機能維持を図り得るようにしている。ここで、図示の光線照射装置１１は、ブラックライトと呼称されるランプ１１Ａ、ソケット１１Ｂ、反射箱１１Ｃで構成しているが、これらの上面をカバー１１Ｄで塞いで塵埃を排除する構成とするのが望ましい。なお、この光線照射装置１１による光線照射は、エスカレーター１の運転時間常時ではなく、機能維持に必要な時間に限って照射する制御手段とすることが望ましい。
【００１９】
また、本発明においては、設置後時間経過した既設エスカレーターに本発明になるハンドレール６と光線照射装置１１を付加する場合に好都合な構成としてある。すなわち、従来のエスカレーターにおいては、前述のように案内ローラ１０を設けるが一般的であったが、本発明においては、案内体８によりハンドレール６を吊り下げ状態としてあるために、案内ローラ１０が占有していたスペースに光線照射装置１１を配設することができ、それが発する紫外線がハンドレール６の表面に近くなって照射率が向上するとともに、案内ローラ１０による光線遮断の不具合も解消されることになる。したがって、既設エスカレーターにおいても、案内ローラ１０を取外して案内体８を追加する改造により容易に本発明の利点を応用することができる。
【００２０】
なお、光触媒機能を有する被覆層Ｐの形成を、粒子径１μｍ以下の研磨剤を含有した非イオン系の界面活性剤でハンドレール表面を研磨することなしに行った場合、発明者らの実験によれば密着性、寿命性ともはるかに劣ることを確認している。また、光線照射装置１１の効果も確認ずみであるが、ハンドレール６の寿命面においては、その表面に対して従来のように立毛状や凹凸状の加工を施さないことが最も有効なる事実を把握している。
【００２１】
【発明の効果】
以上説明した本発明によれば、ハンドレール母材の寿命が低下することなく、光触媒機能の付加とその機能維持手段による防汚性のある乗客コンベアのハンドレールを得ることができる。
【図面の簡単な説明】
【図１】本発明の対象となるエスカレーターの全体側面と要部の内部構造を概念的に示した全体である。
【図２】図１のイ−イ線に沿う断面図である。
【図３】図１のロ−ロ線に沿う断面図である。
【符号の説明】
１　　　エスカレーター（乗客コンベア）
４　　　踏段
６　　　ハンドレール
６Ａ　　表面部
６Ｂ　　内周部
７　　　案内体
９　　　取付具
１１　　光線照射装置
Ｍ　　　界面活性面
Ｎ　　　アモルファス型過酸化チタン層
Ｏ　　　アナターゼ型酸化チタンコロイド層
Ｐ　　　光触媒機能を有する被覆層
【図１】
2004026448.tif 000003
【図２】
2004026448.tif 000004
【図３】
2004026448.tif 000005